【手続補正書】
【提出日】平成23年10月20日(2011.10.20)
【手続補正１】
【補正対象書類名】特許請求の範囲
【補正対象項目名】全文
【補正方法】変更
【補正の内容】
【特許請求の範囲】
【請求項１】
同期ハイブリッド自動再送要求（ＨＡＲＱ）プロトコルおよび受信されるデータの軟合成を用いて少なくとも１つのアップリンクデータチャネルを介して送信装置から受信装置に送信されるデータパケットの、再送用のトランスポートフォーマットを制御する方法であって、
前記アップリンクデータチャネルを介して前記送信装置から前記受信装置にアップリンクデータパケットを送信するステップと、
前記送信装置において、前記受信装置からの、応答チャネルを介して送信されるフィードバックメッセージであって、前記アップリンクデータパケットが前記受信装置で正常に受信されたか否かを示すフィードバックメッセージを受信するステップと、
前記アップリンクデータパケットが正常に受信されなかった場合、前記送信装置において、正常に受信されなかったアップリンクデータパケットの再送についてのトランスポートフォーマットを示す制御メッセージを、スケジューリングに関連する制御チャネルを介して、前記フィードバックメッセージと並行して、受信するステップと、
前記正常に受信されなかったアップリンクデータパケットの再送を、前記同期ＨＡＲＱプロトコルに基づく同期送信タイミングを用いて、前記制御メッセージに示されるトランスポートフォーマットに従って、前記送信装置から前記受信装置に送信するステップと、
を備えることを特徴とする方法。
【請求項２】
前記制御メッセージは、前記再送における最大ビット数および最小ビット数、または最大ビット数を示す、
ことを特徴とする請求項１記載の方法。
【請求項３】
前記制御メッセージは、前記フィードバックメッセージを受信してから所定の時間間隔後に前記再送を送信しないことを示す、
ことを特徴とする請求項１記載の方法。
【請求項４】
前記制御メッセージは、ＴＦＣ制御メッセージである、
ことを特徴とする請求項１乃至請求項３のいずれかに記載の方法。
【請求項５】
合成データパケットを得るために、前記受信装置において、前記アップリンクデータパケットとその再送とを軟合成するステップを更に備える、
ことを特徴とする請求項１乃至請求項４のいずれかに記載の方法。
【請求項６】
前記受信装置において、前記合成データパケットを復号化するステップを更に備える、
ことを特徴とする請求項５記載の方法。
【請求項７】
前記制御メッセージ内のトランスポートフォーマットは、前記合成データパケットの復号化の成功に必要な再送の情報量を示す、
ことを特徴とする請求項６記載の方法。
【請求項８】
前記アップリンクデータパケットまたは前記合成データパケットの受信品質に基づいて、前記受信装置において、前記再送についてのトランスポートフォーマットを決定するステップを更に備える、
ことを特徴とする請求項１乃至請求項７のいずれかに記載の方法。
【請求項９】
前記送信装置から前記受信装置に、第１のアップリンクデータチャネルを介して、前記アップリンクデータパケットを送信するステップと、
前記送信装置から前記受信装置に、第２のアップリンクデータチャネルを介して、前記再送を送信するステップと、
を更に備える、
ことを特徴とする請求項１乃至請求項８のいずれかに記載の方法。
【請求項１０】
前記第１のアップリンクデータチャネルの送信時間間隔は、前記第２のアップリンクデータチャネルの送信時間間隔よりも小さい、
ことを特徴とする請求項９記載の方法。
【請求項１１】
前記アップリンクデータパケットおよびその再送は、少なくとも１つの個別トランスポートチャネルを介して送信される、
ことを特徴とする請求項１乃至請求項１０のいずれかに記載の方法。
【請求項１２】
同期ハイブリッド自動再送要求（ＨＡＲＱ）プロトコルおよび受信されるデータの軟合成を用いて、少なくとも１つのアップリンクデータチャネルを介して送信装置からアップリンクデータパケットを受信する受信装置であって、
前記アップリンクデータチャネルを介して前記送信装置からアップリンクデータパケットを受信する受信手段と、
応答チャネルを介して前記送信装置に、前記アップリンクデータパケットが前記受信装置により正常に受信されたか否かを示すフィードバックメッセージを送信する送信手段と、を備え、
前記送信手段は、前記アップリンクデータパケットが正常に受信されなかった場合、前記送信装置に、正常に受信されなかったアップリンクデータパケットの再送についてのトランスポートフォーマットを示す制御メッセージを、スケジューリングに関連する制御チャネルを介して、前記フィードバックメッセージと並行して、送信し、
前記受信手段は、前記正常に受信されなかったアップリンクデータパケットの再送を、前記同期ＨＡＲＱプロトコルに基づく同期受信タイミングを用いて、前記制御メッセージに示されるトランスポートフォーマットに従って、前記送信装置から受信する、
ことを特徴とする受信装置。
【請求項１３】
同期ハイブリッド自動再送要求（ＨＡＲＱ）プロトコルおよびアップリンクで受信されるデータの軟合成を用いて、少なくとも１つのアップリンクデータチャネルを介して、受信装置にアップリンクデータパケットを送信する送信装置であって、
前記アップリンクデータチャネルを介して前記送信装置からデータパケットを送信する送信手段と、
前記受信装置からの、応答チャネルを介して送信されるフィードバックメッセージであって、前記アップリンクデータパケットが前記受信装置で正常に受信されたか否かを示すフィードバックメッセージを受信する受信手段と、を備え、
前記受信手段は、前記アップリンクデータパケットが正常に受信されなかった場合、前記送信装置において、正常に受信されなかったアップリンクデータパケットの再送についてのトランスポートフォーマットを示す制御メッセージを、スケジューリングに関連する制御チャネルを介して、前記フィードバックメッセージと並行して、受信し、
前記送信手段は、前記正常に受信されなかったアップリンクデータパケットの再送を、前記同期ＨＡＲＱプロトコルに基づく同期送信タイミングを用いて、前記制御メッセージに示されるトランスポートフォーマットに従って、前記受信装置に送信する、
ことを特徴とする送信装置。
【請求項１４】
前記トランスポートフォーマットは、前記再送についての変調方式および符号化率を示す、
ことを特徴とする請求項１記載の方法。
【請求項１５】
前記アップリンクデータパケットの送信に用いられる送信電力は、情報量の送信よりも高い送信電力を必要とする、
ことを特徴とする請求項１記載の方法。
【請求項１６】
前記受信装置は、基地局である、
ことを特徴とする請求項１２記載の受信装置。
【請求項１７】
前記送信装置は、移動端末である、
ことを特徴とする請求項１３記載の送信装置。
【請求項１８】
前記トランスポートフォーマットは、前記再送の冗長バージョンを示す、
ことを特徴とする請求項１記載の方法。
【請求項１９】
前記トランスポートフォーマットは、前記再送の冗長バージョンを示す、
ことを特徴とする請求項１２記載の受信装置。
【請求項２０】
前記トランスポートフォーマットは、前記再送の冗長バージョンを示す、
ことを特徴とする請求項１３記載の送信装置。
【請求項２１】
前記送信装置は、前記アップリンクデータパケットを送信したときに、前記スケジューリングに関連する制御チャネルおよび応答チャネルをモニタリングする、
ことを特徴とする請求項１３記載の送信装置。
【請求項２２】
同期ハイブリッド自動再送要求（ＨＡＲＱ）プロトコルおよび受信されるデータの軟合成を用いて送信装置から受信装置に送信されるデータパケットの、再送用のトランスポートフォーマットを制御する方法であって、
前記送信装置から前記受信装置にアップリンクデータパケットを送信するステップと、
前記送信装置において、前記受信装置から前記アップリンクデータパケットが前記受信装置で正常に受信されたか否かに基づくフィードバックを受信するステップと、
前記送信装置において、正常に受信されなかったアップリンクデータパケットの再送についてのトランスポートフォーマットを示す制御メッセージを、前記フィードバックと並行して、受信するステップと、
前記正常に受信されなかったアップリンクデータパケットの再送を、前記同期ＨＡＲＱプロトコルに基づく同期送信タイミングを用いて、前記制御メッセージに示されるトランスポートフォーマットに従って、前記送信装置から前記受信装置に送信するステップと、
を備えることを特徴とする方法。
【請求項２３】
同期ハイブリッド自動再送要求（ＨＡＲＱ）プロトコルおよびアップリンクで受信されるデータの軟合成を用いて、受信装置にデータパケットを送信する送信装置であって、
前記送信装置からアップリンクデータパケットを送信する送信手段と、
前記受信装置から、前記アップリンクデータパケットが前記受信装置において正常に受信されたか否かに基づくフィードバックを受信する受信手段と、
前記受信手段は、前記送信装置において正常に受信されなかったアップリンクデータパケットの再送についてのトランスポートフォーマットを示す制御メッセージを、前記フィードバックと並行して、受信し、
前記送信手段は、前記正常に受信されなかったアップリンクデータパケットの再送を、前記同期ＨＡＲＱプロトコルに基づく同期送信タイミングを用いて、前記制御メッセージに示されるトランスポートフォーマットに従って、前記受信装置に送信する、
ことを特徴とする送信装置。